(57)【特許請求の範囲】
【請求項１】
一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持し、且つ化粧カバーが取り付けられる器具枠が配置されて使用される可撓性を有する気密カバーであって、
前記フランジ部には、前記器具枠に対して前記フランジ部を動かして、前記化粧カバーが前記フランジ部全体を覆う位置に前記器具枠に対する前記フランジ部の位置を調整するための位置調整部が設けられていることを特徴とする気密カバー。
【請求項２】
一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持し、且つ化粧カバーが取り付けられる器具枠が配置されて使用される気密カバーであって、
前記フランジ部には、壁裏に設置された器具枠取付体に取り付けられたと共に前記フランジ部の表面側に配置された前記器具枠に対して前記フランジ部を動かして、前記化粧カバーが前記フランジ部全体を覆う位置に前記器具枠に対する前記フランジ部の位置を調整するための位置調整部が設けられていることを特徴とする気密カバー。
【請求項３】
一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持し、且つ化粧カバーが取り付けられる器具枠が配置されて使用される気密カバーであって、
前記フランジ部を介して、壁裏に設置された器具枠取付体と、前記器具枠取付体に取り付けられた前記器具枠との間で該気密カバーの移動が許容された状態で前記器具枠取付体に前記器具枠が仮固定され、
前記フランジ部には、前記器具枠取付体に取り付けられたと共に前記フランジ部の表面側に配置された前記器具枠に対して前記フランジ部を動かして、前記化粧カバーが前記フランジ部全体を覆う位置に前記器具枠に対する前記フランジ部の位置を調整するための位置調整部が設けられていることを特徴とする気密カバー。
【請求項４】
一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持し、且つ化粧カバーが取り付けられる器具枠が配置されて使用される気密カバーであって、
前記フランジ部には、前記化粧カバーによって前記フランジ部全体を覆うために、前記器具枠に対して前記フランジ部を位置合わせするための前記器具枠と係合しない位置調整部が設けられていることを特徴とする気密カバー。
【請求項５】
一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持し、且つ化粧カバーが取り付けられる器具枠が配置されて使用される気密カバーであって、
前記フランジ部には、前記化粧カバーによって前記フランジ部全体を覆うために、前記器具枠に対して前記フランジ部を位置合わせするための前記器具枠と干渉することなく前記フランジ部を動かせる位置調整部が設けられていることを特徴とする気密カバー。
【請求項６】
前記器具枠には、前記壁裏に設置された器具枠取付体に前記器具枠を取り付けるための第１ビスが挿通されるビス挿通孔が、前記器具枠に保持された前記器具を挟むようにして一対設けられるとともに、前記一対のビス挿通孔の並び方向に沿った各ビス挿通孔の外側には、前記化粧カバーを取り付けるための第２ビスが螺着される一対のビス孔が形成されており、
前記化粧カバーは、前記第２ビスが挿通される一対の挿通孔を有する化粧カバー取付板と、前記化粧カバー取付板に取り付けられる化粧カバー本体と、から構成され、
前記位置調整部は、前記一対のビス孔と対応する位置に一対設けられ、前記一対のビス孔からそれぞれ臨ませるように前記位置調整部を前記器具枠の前記一対のビス孔に重合させた状態で、前記第２ビスで前記化粧カバー取付板を前記器具枠に取り付け可能であることを特徴とする請求項１から請求項５のいずれか一項に記載の気密カバー。
【請求項７】
前記位置調整部は、前記フランジ部の表面から表側へ突出するとともに、前記フランジ部の表面側と裏面側とが非連通である突出部であり、且つ、前記突出部が前記一対のビス孔に入り込まない高さに形成されたことを特徴とする請求項６に記載の気密カバー。
【請求項８】
前記フランジ部において、前記一対の位置調整部を結ぶ直線の両側に位置するフランジ部の裏面には、該フランジ部を壁に貼着するための両面テープが設けられていることを特徴とする請求項６又は請求項７に記載の気密カバー。
【請求項９】
前記フランジ部は、前記器具枠に取り付けた前記化粧カバーにより壁に押圧されることを特徴とする請求項１から請求項８のいずれか一項に記載の気密カバー。
【請求項１０】
前記位置調整部は前記フランジ部に印字されていることを特徴とする請求項１から請求項６のいずれか一項に記載の気密カバー。
【請求項１１】
配線器具を建築物の壁に気密性を確保しつつ設置するための装置であって、
請求項１から請求項１０のいずれか一項に記載の気密カバーと、
前記フランジ部の表面側に、前記器具を保持し、且つ前記壁裏に設置された器具枠取付体に前記に器具枠を取り付けるための第１ビスが挿通されるビス挿通孔が、前記器具枠に保持された前記器具を挟むようにして一対設けられるとともに、前記一対のビス挿通孔の並び方向に沿った各ビス挿通孔の外側には、第２ビスが螺着される一対のビス孔が形成された器具枠と、
前記器具枠に前記第２ビスにより化粧カバー取付板、および、前記化粧カバー取付板に取り付けられる化粧カバー本体により構成される化粧カバーと、を備える装置。
【請求項１２】
請求項１から請求項１０のいずれか一項に記載の気密カバーのカバー本体を壁に穿設された壁孔に挿入するとともに前記フランジ部を前記壁表の前記壁孔周縁に配置し、
壁に設置される器具を保持させた器具枠を前記フランジ部の表面側に配置するとともに、前記フランジ部を前記壁と器具枠との間で挟持することなく気密カバーの動きを許容するように壁裏に設置された器具枠取付体に仮固定し、
前記フランジ部に設けられた前記位置調整部を利用して、前記器具枠に対して前記フランジ部を動かして位置調整し、
前記フランジ部を前記壁と前記器具枠との間で挟持し、
前記器具枠に化粧カバーを取り付けて前記フランジ部全体を覆うことを特徴とする気密カバーの設置方法。
【請求項１３】
前記位置調整した後に、両面テープでフランジ部の裏面を壁に貼着する工程を含むことを特徴とする請求項１２に記載の設置方法。
【発明の詳細な説明】
【技術分野】
【０００１】
本発明は、気密カバーに関する。
【背景技術】
【０００２】
例えば、建築物の壁に設置される配線器具には、壁裏に配設されたケーブルが接続される。また、配線器具の設置に伴う気密性を確保するために、配線器具は気密カバー内に収納される。そして、このような気密カバーとしては、例えば特許文献１又は特許文献２に記載のものがある。
【０００３】
特許文献１に記載の防塵パッキンは、一面が開口されるとともに配線器具が収容される箱状の本体（カバー本体）と、本体の開口全周から外方に向けて設けられた固定フランジ板（フランジ部）とからなる。また、本体の底壁には、電線（ケーブル）を気密状態で挿通させるための電線挿通部（引込み部）が複数設けられている。
【０００４】
この防塵パッキンは、壁内に配設されたボックス内部に挿入される。そして、その防塵パッキンの固定フランジ板と、コンセント（器具）が取り付けられている器具取付け金枠（器具枠）との間に押え板が配置された状態で、押え板によって固定フランジ板を塗代カバーの開口端面に密着させる。さらに、押え板の外側に器具取付け金枠を配置した状態で、固定ビスによりボックス、防塵パッキン、押え板及び器具取付け金枠を固定する。これによって、防塵パッキンにより室内側とボックス内部とが遮断されて、ボックス内部に侵入する塵埃類が室内に入り込むのが防止される。さらに、器具取付け金枠に化粧板（化粧カバー）が固定ビスにより固定されて、コンセントのプラグ差込み口を除く部分、及び押え板は化粧板により覆われる。
【０００５】
また、特許文献２に記載のコンセントボックスカバーは、一側面が開口されるとともに、取付枠（器具枠）の内側に固定されるコンセント本体（器具）を内装可能な四角箱状のボックス本体（カバー本体）と、そのボックス本体の開口縁から外側に延設される四角形の鍔部（フランジ部）とからなる。また、ボックス本体におけるコンセント本体の配線コード（ケーブル）への接続端子に近接する部分には、配線コードの接続用端部よりも太い有底円筒状の突起部（引込み部）が隆起するように形成されている。
【０００６】
そして、コンセント本体をボックス本体に内装し、取付枠の建築躯体（例えば壁）側に鍔部が位置するようにして、取付枠を建築躯体に固定する。すると、可撓性のある材質にて一体に形成された鍔部及ボックス本体によって、建築躯体に形成されたコンセント取付用開口部の開口と取付枠との間隙が遮断される。さらに、取付枠の室内側に化粧カバーが固定される。
【先行技術文献】
【特許文献】
【０００７】
【特許文献１】特開平７−２７４３４６号公報
【特許文献２】特開平７−２８８９１３号公報
【発明の概要】
【発明が解決しようとする課題】
【０００８】
ところで、特許文献１の防塵パッキンは、壁内に配設されたボックス内に挿入されるが、器具取付け金枠は、配線器具が壁表で傾いて設置されないようにするため、ボックスに対して角度調整や位置調整してボックスに固定される。このとき、防塵パッキンが器具取付け金枠に対して傾いていたり、防塵パッキンの位置が器具取付け金枠に対してずれていると、化粧板を器具取付け金枠に固定した状態で、化粧板よりも外に固定フランジ板がはみ出してしまう。
【０００９】
また、特許文献２のコンセントボックスカバーは、その材質が軟らかいために、コンセント本体が固定された取付枠をボックス本体に固定したとき、コンセント本体によってボックス本体が押圧される等して変形してしまう場合がある。すると、ボックス本体の変形に追従して鍔部も変形してしまい、この鍔部の変形状態で取付枠に化粧カバーが固定されると、化粧カバーよりも外に鍔部がはみ出してしまう。
【００１０】
本発明は、このような従来の技術に存在する問題点に着目してなされたものであり、その目的は、フランジ部が化粧カバーからはみ出ることを防止することができる気密カバーを提供することにある。
【課題を解決するための手段】
【００１１】
上記目的を達成するために、請求項１に記載の発明は、一面に開口を有するとともに建築物の壁に設置される器具を内部に収納可能な有底箱状に形成されたカバー本体と、前記カバー本体の開口縁全周から外方に向けて延びる環状のフランジ部と、を備え、前記カバー本体が前記壁に穿設される壁孔に挿入されるとともに前記フランジ部が前記壁表の前記壁孔周縁に配置され、さらに、前記フランジ部の表面側に、前記器具を保持し、且つ化粧カバーが取り付けられる器具枠が配置されて使用される可撓性を有する気密カバーであって、前記フランジ部には、前記器具枠に対して前記フランジ部を動かして、前記化粧カバーが前記フランジ部全体を覆う位置に前記器具枠に対する前記フランジ部の位置を調整するための位置調整部が設けられていることを要旨とする。
【００１２】
請求項６に記載の発明は、上記発明において、前記器具枠には、前記壁裏に設置された器具枠取付体に前記器具枠を取り付けるための第１ビスが挿通されるビス挿通孔が、前記器具枠に保持された前記器具を挟むようにして一対設けられるとともに、前記一対のビス挿通孔の並び方向に沿った各ビス挿通孔の外側には、前記化粧カバーを取り付けるための第２ビスが螺着される一対のビス孔が形成されており、前記化粧カバーは、前記第２ビスが挿通される一対の挿通孔を有する化粧カバー取付板と、前記化粧カバー取付板に取り付けられる化粧カバー本体と、から構成され、前記位置調整部は、前記一対のビス孔と対応する位置に一対設けられ、前記一対のビス孔からそれぞれ臨ませるように前記位置調整部を前記器具枠の前記一対のビス孔に重合させた状態で、前記第２ビスで前記化粧カバー取付板を前記器具枠に取り付け可能であることを要旨とする。
【００１３】
請求項７に記載の発明は、上記発明において、前前記位置調整部は、前記フランジ部の表面から表側へ突出するとともに、前記フランジ部の表面側と裏面側とが非連通である突出部であり、且つ、前記一対のビス孔に入り込まない高さに形成されたことを要旨とする。
【００１４】
請求項８に記載の発明は、上記発明において、前記フランジ部において、前記一対の位置調整部を結ぶ直線の両側に位置するフランジ部の裏面には、該フランジ部を壁に貼着するための両面テープが設けられていることを要旨とする。
【発明の効果】
【００１５】
この発明によれば、フランジ部が化粧カバーからはみ出ることを防止することができる。
【図面の簡単な説明】
【００１６】
【図１】実施形態における気密カバー、配線ボックス、器具枠及び化粧カバーを示す斜視図。
【図２】気密カバーを表側から見た気密カバーの平面図。
【図３】図２におけるＡ−Ａ線断面図。
【図４】気密カバーが位置合わせされた状態を示す正面図。
【図５】スイッチの設置状態を示す断面図。
【発明を実施するための形態】
【００１７】
以下、本発明を具体化した一実施形態を図１〜図５にしたがって説明する。また、本実施形態では、器具としてのスイッチＳを壁Ｗに設置するために器具枠取付体としての配線ボックス１１が用いられ、その配線ボックス１１内に気密カバー４１が配設されるものとする。
【００１８】
まず、建築物の壁Ｗについて説明する。
図５に示すように、壁Ｗは、柱Ｈと、その柱Ｈの前後両面に立設される一対の壁材Ｗ１とによって構成されている。また、一対の壁材Ｗ１の間には中空部Ｋが形成されており、中空部Ｋには発泡ポリスチレン板やグラスウール、硬質発泡ウレタン板等の断熱部材（図示せず）が設けられている。また、中空部Ｋには図示しないケーブルが配設されている。
【００１９】
次に、壁ＷにスイッチＳを設置するために用いられる配線ボックス１１について説明する。
図１に示すように、配線ボックス１１は、合成樹脂材料により表面（一面）に開口を有する有底四角箱状に形成されている。詳細には、配線ボックス１１は、長方形状をなす底壁１２と、底壁１２の上下に対向する一対の短側壁たる上側壁１３ａ及び下側壁１３ｂと、底壁１２の左右に対向する一対の長側壁たる右側壁１３ｃ及び左側壁１３ｄとから形成されている。そして、底壁１２及び四つの側壁１３ａ〜１３ｄによって収容部１４が囲み形成されている。
【００２０】
上側壁１３ａ及び下側壁１３ｂには、ケーブル挿通孔１５が二つずつ形成されている。一方のケーブル挿通孔１５はノック部１６によって閉鎖され、他方のケーブル挿通孔１５にはノック部１６が形成されずに開放されている。また、上側壁１３ａ及び下側壁１３ｂの内面には、スイッチＳを配線ボックス１１に取り付けるために用いられるボス部１７がそれぞれ対向する位置に形成されている。ボス部１７にはボス孔１７ａが形成されている。左側壁１３ｄの外面には、配線ボックス１１を柱Ｈに固定する際、柱Ｈの側面に当接させる当接座部１８が突設され、この当接座部１８にはビス孔１９が複数（実施形態では３つ）形成されている。
【００２１】
次に、スイッチＳを保持する器具枠２１について説明する。
器具枠２１は矩形枠状をなすとともに、スイッチＳを保持する保持孔２２を備える。また、器具枠２１の短手方向への長さの中間点を通過し、且つ長手方向に延びる中心線Ｌ１上には、一対のビス挿通孔２３が保持孔２２を挟むようにして設けられている。各ビス挿通孔２３は、器具枠２１の短手方向へ延びる長孔形状に形成されるとともに、このビス挿通孔２３には配線ボックス１１に器具枠２１を取り付けるための第１ビスＢ１が挿通されるようになっている。さらに、器具枠２１の中心線Ｌ１上において、各ビス挿通孔２３よりも外側それぞれには円孔状のビス孔２４が形成されている。このビス孔２４には、器具枠２１に化粧カバーＣを取り付ける際に、第２ビスＢ２が挿通されるようになっている。
【００２２】
次に、化粧カバーＣについて説明する。化粧カバーＣは、器具枠２１に取り付けられる化粧カバー取付板３１と、化粧カバー取付板３１に取り付けられる化粧カバー本体３８とから構成されている。
【００２３】
化粧カバー取付板３１は矩形枠状をなすとともに、スイッチＳが通過可能な貫通孔３２を備える。化粧カバー取付板３１の裏面には、押圧部３５が化粧カバー取付板３１の縁部全周に亘って延びるように形成されている。また、化粧カバー取付板３１の短手方向への長さの中間点を通過し、且つ長手方向に延びる中心線Ｌ２上には、一対のビス挿通孔３３が貫通孔３２を挟むようにして形成されている。このビス挿通孔３３には、器具枠２１に化粧カバー取付板３１を取り付ける際に、第２ビスＢ２が挿通されるようになっている。そして、ビス挿通孔３３に挿通した第２ビスＢ２を器具枠２１のビス孔２４に螺合することにより、器具枠２１の中心線Ｌ１上に化粧カバー取付板３１の中心線Ｌ２が位置するように、器具枠２１に化粧カバー取付板３１が取り付けられるようになっている。なお、化粧カバー取付板３１の短手方向及び長手方向への長さは、器具枠２１の短手方向及び長手方向への長さよりも長くなっている。
【００２４】
さらに、化粧カバー取付板３１の四隅には、取付孔３４が形成されている。この取付孔３４には、化粧カバー本体３８の裏面に突設される図示しない係合部が係合可能になっており、この係合部が取付孔３４に対して強制的に係合されることで、化粧カバー本体３８が化粧カバー取付板３１の表面側に取り付けられる。
【００２５】
化粧カバー本体３８は矩形枠状をなすとともに、スイッチＳが内側を通過可能な貫通孔３９が形成されている。そして、化粧カバー本体３８が化粧カバー取付板３１の表面側に取り付けられると、化粧カバー本体３８によって化粧カバー取付板３１全体が覆われるとともに、貫通孔３９からスイッチＳのみが壁Ｗ表に露出する。また、化粧カバー本体３８が化粧カバー取付板３１に取り付けられると、化粧カバー本体３８の長手方向へ延びる中心線Ｌ３は、化粧カバー取付板３１の中心線Ｌ２上に位置する。
【００２６】
次に、気密カバー４１について説明する。
気密カバー４１は、透明であるとともに可撓性を有する合成樹脂、例えばポリプロピレンをプレス成型や真空成型により所定形状に成形してなる。気密カバー４１のカバー本体４２は、表面（一面）に開口を有する有底四角箱状に形成されるとともに、配線ボックス１１の収容部１４に収容可能な大きさに形成されている。詳細には、カバー本体４２は、長方形状をなす底壁４３と、底壁４３の上下に対向する一対の短側壁たる上側壁４４ａ及び下側壁４４ｂと、底壁４３の左右に対向する一対の長側壁たる右側壁４４ｃ及び左側壁４４ｄとから形成されている。そして、底壁４３及び四つの側壁４４ａ〜４４ｄによって収容部４５が囲み形成されている。
【００２７】
底壁４３には、ケーブルをカバー本体４２内へ引き込むための引込み部４６がカバー本体４２の内部に向かって膨出するように複数（本実施形態では１５個）形成されている。引込み部４６は、基端から先端に向かうにつれて細くなる円筒形状であるとともに、その先端が封止されている。引込み部４６は、ケーブルをカバー本体４２内に引き込むために、引込み部４６にケーブルを挿通するときに初めて先端側が開口される。
【００２８】
カバー本体４２における開口縁全周には、四角環状をなすフランジ部４７が一体形成されている。このフランジ部４７は、カバー本体４２の開口縁全周からカバー本体４２の外方に向けて延びるように形成されている。フランジ部４７の短手方向に沿った長さは、化粧カバー本体３８及び化粧カバー取付板３１の短手方向に沿った長さよりも短く、フランジ部４７の長手方向に沿った長さは、化粧カバー本体３８及び化粧カバー取付板３１の長手方向に沿った長さよりも短くなっている。よって、フランジ部４７の外縁での四角形は、化粧カバー本体３８及び化粧カバー取付板３１の外縁での四角形よりも小さく形成されている。フランジ部４７は、可撓性を有するカバー本体４２に一体形成されているため、その基端を中心として底壁４３側又は底壁４３から離れる側に向けて傾倒可能に形成されている。
【００２９】
図２に示すように、フランジ部４７において、カバー本体４２の短手方向への長さの中間点を通過し、且つ長手方向に延びる中心線Ｌ４上には、一対の挿通孔４８がカバー本体４２の開口を挟むようにして形成されている。各挿通孔４８は円孔状をなすとともに、この挿通孔４８には、器具枠２１を配線ボックス１１に取り付ける際に、器具枠２１のビス挿通孔２３に挿通された第１ビスＢ１が挿通されるようになっている。さらに、各挿通孔４８の内縁には、カバー本体４２の短手方向に沿って延びるスリット４８ａが形成されている。このスリット４８ａには、器具枠２１のビス挿通孔２３に挿通された第１ビスＢ１が挿通可能になっている。また、フランジ部４７において、カバー本体４２の中心線Ｌ４上には、位置調整部としての突出部４９が各挿通孔４８よりも外側に設けられている。
【００３０】
図３に示すように、各突出部４９はフランジ部４７の表面から表側に向けて有蓋円筒状に突出している。各突出部４９は、そのフランジ部４７の表面側の基端から先端に至るまで閉じるように形成されるとともに、フランジ部４７の裏面側が開放されている。各突出部４９の突出側端面は平坦面になっている。また、各突出部４９の直径は、各ビス孔２４の直径よりも小さくなっており、ビス孔２４に突出部４９を重合させたとき、突出部４９の突出側端面全体がビス孔２４から臨むようになっている。
【００３１】
また、図２に示すように、フランジ部４７において、一対の突出部４９を結ぶ直線（中心線Ｌ４）の両側となるフランジ部４７の左右の裏面には、帯状をなす両面テープＴが長辺方向がカバー本体４２の長手方向へ延びるように貼着されている。両面テープＴは、フランジ部４７の左右両側部内に収まるようにフランジ部４７に貼着されている。なお、両面テープＴは、裏面がフランジ部４７の裏面に貼着されるとともに、表面には剥離紙（図示せず）が貼着されている。
【００３２】
次に、上記構成の気密カバー４１を用いてスイッチＳを壁Ｗに設置する方法について説明する。
まず、配線ボックス１１の当接座部１８を柱Ｈの側面に当接させて、配線ボックス１１を柱Ｈに対して所望の位置に配置する。このとき、ケーブルを、ケーブル挿通孔１５を介して配線ボックス１１内に予め引き込んでおく。次に、ビス孔１９に図示しない固定ビスを挿通するとともに、固定ビスを柱Ｈに強制的に螺入する。すると、配線ボックス１１が柱Ｈに固定される。そして、柱Ｈを挟むように他方の壁材Ｗ１を配線ボックス１１の表面側に立設することで、壁Ｗ内の中空部Ｋに配線ボックス１１が設置される。
【００３３】
次に、壁材Ｗ１における配線ボックス１１の開口と対応する位置に縦長楕円形状の壁孔Ｗ２を穿設するとともに、配線ボックス１１の内部が壁孔Ｗ２を介して壁材Ｗ１の表側に臨むようにする。次に、配線ボックス１１内に引き込まれたケーブルを壁孔Ｗ２から壁材Ｗ１の表側に引き出す。次に、気密カバー４１の引込み部４６に対してケーブルを強制的に突き刺し、ケーブルをカバー本体４２内に引き込む。そして、ケーブルにスイッチＳを接続するとともに、スイッチＳを器具枠２１に保持させる。
【００３４】
次に、気密カバー４１のカバー本体４２を底壁４３側から壁孔Ｗ２を介して配線ボックス１１の収容部１４に向かって挿入するとともに、カバー本体４２を配線ボックス１１内に収容し、フランジ部４７の裏面全体を壁材Ｗ１における壁孔Ｗ２周縁に密着させる。このとき、挿通孔４８及び突出部４９は、壁孔Ｗ２の内側に位置するようになっている。
【００３５】
次に、スイッチＳをカバー本体４２内に挿入しながら、器具枠２１を、その上下両部をフランジ部４７の上下両部の表面側に配置する。続いて、スイッチＳが壁Ｗ表で傾かないように、器具枠２１の位置を調整した後、第１ビスＢ１をビス挿通孔２３、挿通孔４８及び壁孔Ｗ２を介してボス孔１７ａに螺入し、器具枠２１が移動しないように器具枠２１を配線ボックス１１に仮固定する。ここで、第１ビスＢ１をボス孔１７ａに対して最後まで螺進せずに、フランジ部４７を壁材Ｗ１と器具枠２１との間で挟持することなく、気密カバー４１の動きが許容される状態にしておく。
【００３６】
次に、図４に示すように、突出部４９の突出側端面全体が器具枠２１のビス孔２４から臨むように、気密カバー４１の位置を調整する。具体的には、フランジ部４７を把持して、気密カバー４１の突出部４９が器具枠２１のビス孔２４に重合するように、気密カバー４１を強制的に動かして位置調整する。ここで、各挿通孔４８の内縁にはスリット４８ａが形成されている。よって、第１ビスＢ１が挿通孔４８内に挿通された状態であっても、スリット４８ａ内に第１ビスＢ１が入り込めるため、気密カバー４１の移動が許容されている。
【００３７】
そして、器具枠２１のビス孔２４に対し突出部４９が重合して、突出部４９の突出側端面全体がビス孔２４から臨んだことを確認したら、両面テープＴの剥離紙を剥がして、両面テープＴの表面を壁材Ｗ１における壁孔Ｗ２周縁に貼着する。さらに、第１ビスＢ１をボス孔１７ａに対して最後まで螺進させて、器具枠２１を配線ボックス１１に固定するとともに壁材Ｗ１と器具枠２１の上下両部との間にフランジ部４７の上下両部を挟持する。これにより、フランジ部４７が器具枠２１に対して所定位置に配置される。ここで、本実施形態での「所定位置」とは、気密カバー４１の中心線Ｌ４が器具枠２１の中心線Ｌ１上に位置し、器具枠２１の中心線Ｌ１からフランジ部４７における左右両縁までの距離が同じになる位置のことである。すなわち、フランジ部４７の左右両側縁が器具枠２１の両側縁と平行をなす位置のことである。
【００３８】
次に、図５に示すように、化粧カバー取付板３１を、ビス挿通孔３３がビス孔２４に重合するように器具枠２１の表面側に配置するとともに、第２ビスＢ２を、ビス挿通孔３３を介してビス孔２４に螺入する。そして、第２ビスＢ２がビス挿通孔３３に対して螺進されることで、化粧カバー取付板３１の押圧部３５によりフランジ部４７の縁部が全周に亘って強く挟持される。その結果、フランジ部４７が挟持されることにより、室内側と配線ボックス１１内とが気密カバー４１により遮断されて、配線ボックス１１内に侵入する塵埃類が壁孔Ｗ２を介して室内に入り込むことが防止される。また、化粧カバー取付板３１の押圧部３５によりフランジ部４７の縁部が押圧された状態では、フランジ部４７は化粧カバー取付板３１よりはみ出していない。
【００３９】
最後に、化粧カバー本体３８が化粧カバー取付板３１の表面側に取り付けられる。ここで、フランジ部４７が器具枠２１に対して所定位置に配置され、フランジ部４７は化粧カバー取付板３１からはみ出していない。このため、化粧カバー取付板３１に化粧カバー本体３８が取り付けられても、その化粧カバー本体３８からフランジ部４７がはみ出ることがなく、スイッチＳのみが壁Ｗ表に臨んだ状態で、スイッチＳが壁Ｗに設置される。
【００４０】
上記実施形態では以下の効果を得ることができる。
（１）フランジ部４７には、挿通孔４８を挟んで一対の突出部４９が設けられている。そして、位置調整された器具枠２１に対して突出部４９の突出側端面全体が器具枠２１のビス孔２４から臨むように、気密カバー４１の位置を調整する。器具枠２１のビス孔２４は、器具枠２１の左右両側縁に対して化粧カバーＣの左右両側縁が平行をなすように化粧カバーＣを器具枠２１に取り付けることができる位置に形成されている。よって、器具枠２１のビス孔２４にフランジ部４７の突出部４９を重合させることで、フランジ部４７の左右両側縁を、器具枠２１の左右両側縁に対して平行にすることができ、器具枠２１に対し、フランジ部４７が傾くことを防止することができる。その結果、化粧カバーＣを器具枠２１に取り付けても、化粧カバーＣよりも外にフランジ部４７がはみ出すことがなく、壁Ｗ表側にフランジ部４７がはみ出してしまうことを防止することができる。
【００４１】
（２）器具枠２１のビス孔２４は器具枠２１の中心線Ｌ１上に位置するとともに、気密カバー４１の突出部４９は気密カバー４１の中心線Ｌ４上に位置している。よって、ビス孔２４に対して突出部４９を重合させると、気密カバー４１の中心線Ｌ４が器具枠２１の中心線Ｌ１上に位置し、器具枠２１の中心線Ｌ１からフランジ部４７における左右両縁までの距離が同じになる。したがって、化粧カバーＣを器具枠２１に取り付けても、化粧カバーＣよりも外にフランジ部４７がはみ出すことがなく、壁Ｗ表側にフランジ部４７がはみ出してしまうことを防止することができる。
【００４２】
（３）各突出部４９は、フランジ部４７の表面側の基端から先端に至るまで閉じるように形成されている。よって、フランジ部４７の表面側と裏面側とが非連通になっているため、ビス孔２４に対して突出部４９を重合させたときに、突出部４９が壁孔Ｗ２の内側に位置していても、突出部４９を介してフランジ部４７の表面側と配線ボックス１１内とが連通することが防止され、室内側と配線ボックス１１内との間の気密を確保することができる。
【００４３】
（４）フランジ部４７において、一対の突出部４９を結ぶ直線（中心線Ｌ４）の両側となるフランジ部４７の左右の裏面には両面テープＴが貼着されている。そして、器具枠２１のビス孔２４に突出部４９を重合させて気密カバー４１を位置調整した後、両面テープＴによりフランジ部４７を壁材Ｗ１における壁孔Ｗ２周縁に貼着する。フランジ部４７における上下両部は、器具枠２１における上下両部により壁材Ｗ１との間に挟持されることで、フランジ部４７における上下両部が壁材Ｗ１に対して移動することが規制される。しかし、フランジ部４７における左右両部は、器具枠２１により壁材Ｗ１側へ圧接されていない。しかし、両面テープＴにより、壁材Ｗ１における壁孔Ｗ２周縁にフランジ部４７における左右両部を貼着することで、フランジ部４７における左右両部が壁材Ｗ１に対して移動することが規制される。よって、第１ビスＢ１をボス孔１７ａに対して最後まで螺進させて、壁材Ｗ１と器具枠２１との間にフランジ部４７を挟持する際に、気密カバー４１が左右方向へ変形してしまい、この気密カバー４１の変形に伴ってフランジ部４７も変形した状態になってしまうことを抑制することができる。その結果、フランジ部４７が変形することにより化粧カバーＣよりも外にフランジ部４７がはみ出してしまうことを防止することができる。
【００４４】
なお、上記実施形態は以下のように変更してもよい。
○  実施形態において、フランジ部４７における表面であって、カバー本体４２の中心線Ｌ４上に、位置調整部として、突出部４９を各挿通孔４８よりも外側に設けたが、これに限らない。例えば、位置調整部として、フランジ部４７の表面であって、器具枠２１における上下の両短側縁と対応する箇所に、器具枠２１における上下の両短側縁と係止可能な係止部を設けてもよい。また、例えば、位置調整部として、フランジ部４７の表面であって、器具枠２１の左右の両長側縁と対応する箇所に、器具枠２１における左右の両長側縁と係止可能な係止部を設けてもよい。
【００４５】
○  実施形態において、フランジ部４７における表面であって、カバー本体４２の中心線Ｌ４上に、位置調整部として、突出部４９を各挿通孔４８よりも外側に設けたが、これに限らない。例えば、器具枠２１に、位置調整部専用の貫通孔を別途形成するとともに、その位置調整部専用の貫通孔と突出部とが重合するようにフランジ部４７の位置調整を行ってもよい。この場合、位置調整部専用の貫通孔と突出部とが重合したときに、フランジ部４７の左右両側縁と器具枠２１の左右両側縁とが平行になるようになっている。
【００４６】
○  実施形態において、フランジ部４７における表面であって、カバー本体４２の中心線Ｌ４上に、位置調整部として、突出部４９を各挿通孔４８よりも外側に設けたが、これに限らない。例えば、位置調整部として、器具枠２１の外形を縁取った線を、フランジ部４７の表面に予め印字しておき、その線に合わせてフランジ部４７の位置調整を行ってもよい。
【００４７】
○  実施形態において、フランジ部４７における表面であって、カバー本体４２の中心線Ｌ４上に、位置調整部として、突出部４９を各挿通孔４８よりも外側に設けたが、これに限らない。例えば、フランジ部４７における表面であって、カバー本体４２の中心線Ｌ４上に、位置調整部として、ドットを各挿通孔４８よりも外側に印字してもよい。このドットの色は、容易に視認可能な黒色、濃い青、濃い緑、濃い紫、濃い赤、濃い黄等であるとより好ましい。
【００４８】
○  実施形態では、各突出部４９の直径は、各ビス孔２４の直径よりも小さくなっており、突出部４９の突出側端面全体がビス孔２４から臨んだことを確認することで、フランジ部４７が器具枠２１に対して所定位置に配置されたこととしたが、これに限らない。例えば、各突出部４９の直径を、各ビス孔２４の直径よりも大きくするとともに、突出部４９の突出側端面の一部分がビス孔２４から臨んだことを確認することで、フランジ部４７が器具枠２１に対して所定位置に配置されたこととしてもよい。
【００４９】
○  実施形態において、各挿通孔４８の内縁に形成されたスリット４８ａを削除してもよい。例えば、気密カバー４１を強制的に動かして位置調整する際に、挿通孔４８内に第１ビスＢ１が挿通された状態であっても、気密カバー４１は可撓性を有するため、挿通孔４８周りが変形することで、気密カバー４１の移動が許容される。
【００５０】
○  実施形態において、一対の挿通孔４８は円孔状に形成されたが、これに限らず、例えば、気密カバー４１の短手方向へ延びる長孔形状に形成されていてもよい。この場合、各挿通孔４８の内縁に形成されたスリット４８ａを削除してもよい。これによれば、フランジ部４７を把持して、気密カバー４１の突出部４９が器具枠２１のビス孔２４に重合するように、気密カバー４１を強制的に動かして位置調整する際に、第１ビスＢ１が挿通孔４８内に挿通された状態で気密カバー４１が移動し易くなる。
【００５１】
○  実施形態において、各挿通孔４８の内縁にカバー本体４２の短手方向に沿って延びるスリット４８ａを形成したが、これに限らず、例えば、各挿通孔４８の内縁にカバー本体４２の短手方向及び長手方向に沿って延びる正面視十字状のスリットを形成してもよい。
【００５２】
○  実施形態において、フランジ部４７の中心線Ｌ４上には、一対の挿通孔４８がカバー本体４２の開口を挟むように形成されていたが、これに限らず、例えば、フランジ部４７の中心線Ｌ４上に、カバー本体４２の短手方向及び長手方向に沿って延びる正面視十字状のスリットをカバー本体４２の開口を挟むように一対形成してもよい。
【００５３】
○  実施形態において、器具枠２１は、二つ以上のスイッチＳを保持するものであってもよい。この場合、器具枠２１には、保持孔２２が二つ以上設けられるとともに、ビス挿通孔２３が各保持孔２２を挟むようにして二対以上設けられ、さらに、各ビス挿通孔２３よりも外側それぞれにビス孔２４が形成される。また、配線ボックス１１における上側壁１３ａ及び下側壁１３ｂの内面には、ボス部１７が二対以上設けられている。さらに、気密カバー４１において、フランジ部４７には挿通孔４８が二対以上設けられるとともに、各挿通孔４８よりも外側であって、ビス孔２４と対応する位置に突出部４９が設けられている。そして、器具枠２１に対してフランジ部４７を位置合わせする際には、全ての突出部４９が全てのビス孔２４から臨むように、気密カバー４１の位置を調整する。なお、この場合、器具枠２１に対してフランジ部４７を位置合わせする際には、突出部４９のうちの少なくとも一対が、少なくとも一対のビス孔２４から臨んだことを確認することで、フランジ部４７が器具枠２１に対して所定位置に配置されたこととしてもよい。
【００５４】
○  実施形態において、フランジ部４７における左右の裏面両側部に貼着された両面テープＴを削除してもよい。
○  実施形態において、フランジ部４７は化粧カバーＣの外形よりも小さく形成されていたが、これに限らず、化粧カバーＣの外形と同じ大きさに形成されていてもよい。
【００５５】
○  実施形態において、化粧カバーＣは、化粧カバー取付板３１と化粧カバー本体３８とから構成されていたが、これに限らず、化粧カバー取付板３１を削除して、化粧カバー本体３８のみで化粧カバーＣを構成してもよい。この場合、化粧カバー本体３８の中心線Ｌ３上には、器具枠２１に化粧カバー本体３８を取り付ける際に、第２ビスＢ２が挿通される一対のビス挿通孔が形成される。
【００５６】
○  実施形態において、化粧カバーＣは、化粧カバー取付板３１と化粧カバー本体３８とから構成されていたが、これに限らず、化粧カバーＣは、化粧カバー取付板３１と化粧カバー本体３８とが予め一体形成されてなるものであってもよい。
【００５７】
○  実施形態において、壁材Ｗ１に穿設される壁孔Ｗ２の形状は縦長楕円形状であったが、これに限らず、例えば、縦長四角形状、小判形状、又は真円を一部分が重合するように二つ形成した略瓢箪状であってもよい。
【００５８】
○  実施形態において、器具枠取付体として、配線ボックス１１を適用したが、これに限らず、器具枠取付体として、例えば、矩形枠状をなす配線器具枠取付枠を適用してもよい。
【００５９】
○  実施形態において、器具枠２１に取り付けられる器具はスイッチＳであったが、これに限らず、器具枠２１に取り付けられる器具は、例えば、コンセントや報知器であってもよい。
【００６０】
次に、上記実施形態及び別例から把握できる技術的思想について以下に追記する。
（イ）前記器具枠取付体は配線ボックスであるとともに、前記配線ボックス内に前記カバー本体が収容されることを特徴とする請求項２に記載の気密カバー。
【符号の説明】
【００６１】
Ｂ１…第１ビス、Ｂ２…第２ビス、Ｃ…化粧カバー、Ｔ…両面テープ、Ｗ…壁、Ｗ２…壁孔、Ｓ…器具としてのスイッチ、１１…器具枠取付体としての配線ボックス、２１…器具枠、２３…ビス挿通孔、２４…ビス孔、４１…気密カバー、４２…カバー本体、４７…フランジ部、４９…位置調整部としての突出部。
【図１】
0005537268.tif 000002
【図２】
0005537268.tif 000003
【図３】
0005537268.tif 000004
【図４】
0005537268.tif 000005
【図５】
0005537268.tif 000006